【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
入力デジタル信号に対する処理内容に応じてプログラムの変更が可能なデジタル信号処理回路と、
処理デコード方法が異なる各種のデジタル信号のうち、対象とするデジタル信号を処理するためのプログラムを前記デジタル信号処理回路に供給する制御手段と
を備えることを特徴とするマルチメディア端末装置。
【請求項２】
前記デジタル信号処理回路は、前記制御手段から供給されるプログラムを実行し、目的のデジタル信号を抽出すると共に、該抽出した信号を圧縮解凍し出力することを特徴とする請求項１に記載のマルチメディア端末装置。
【請求項３】
処理デコード方法が異なる各種のデジタル信号の入力を受け付ける１つの入力端子と、
前記入力端子から入力される前記デジタル信号を処理するためのプログラムを保持する保持手段と
を備え、
前記制御手段は、前記保持手段に保持されている前記プログラムを前記デジタル信号処理回路に転送することを特徴とする請求項１に記載のマルチメディア端末装置。
【請求項４】
前記保持手段を前記マルチメディア端末装置と着脱可能に設けることを特徴とする請求項３に記載のマルチメディア端末装置。
【請求項５】
処理デコード方法が異なる各種のデジタル信号の入力を受け付ける１つの入力端子と、
前記入力端子を通じて入力されるデジタル信号の種類を認識する認識手段と、
前記入力端子から入力される処理デコード方法が異なる前記デジタル信号のそれぞれを処理するための複数のプログラムを保持する保持手段と
を備え、
前記制御手段は、前記認識手段により認識される前記入力端子を通じて入力されるデジタル信号を処理するためのプログラムを前記保持手段から抽出して、前記デジタル信号処理回路に転送することを特徴とする請求項１に記載のマルチメディア端末装置。
【請求項６】
前記保持手段を前記マルチメディア端末装置と着脱可能に設けることを特徴とする請求項５に記載のマルチメディア端末装置。
【請求項７】
前記入力端子から入力される処理デコード方法が異なる前記デジタル信号のそれぞれを処理するための複数のプログラムを、それぞれ保持するようにした複数の保持手段を設け、前記マルチメディア端末装置と着脱可能にすることを特徴とする請求項５に記載のマルチメディア端末装置。
【請求項８】
処理デコード方法が異なる各種のデジタル信号の入力を受け付ける複数の入力端子と、
前記複数の入力端子のそれぞれから入力される入力デジタル信号の種類を認識している認識手段と、
前記複数の入力端子からの入力デジタル信号の供給を受けて、前記デジタル信号処理回路に供給するデジタル信号を選択する信号選択手段と、
前記複数の入力端子のそれぞれから入力される入力デジタル信号のそれぞれを処理するための複数のプログラムを保持するプログラム保持手段と
を備え、
前記制御手段は、前記認識手段において認識されている前記複数の入力端子のそれぞれから入力されるデジタル信号の種類に基づいて、ユーザの選択指示に応じた入力デジタル信号を選択するように前記信号選択手段を制御するとともに、前記選択指示に応じた入力デジタル信号を処理するためのプログラムを前記プログラム保持手段から、前記デジタル信号処理回路に供給するようにすることを特徴とする請求項１に記載のマルチメディア端末装置。
【請求項９】
前記複数の入力端子は、ＩＥＥＥ１３９４規格の入力端子を含むことを特徴とする請求項８に記載のマルチメディア端末装置。
【請求項１０】
前記入力端子は、外部のデジタル機器との間でデジタル信号の入出力できることを特徴とする請求項９に記載のマルチメディア端末装置。
【請求項１１】
前記プログラム保持手段を前記マルチメディア端末装置と着脱可能に設けることを特徴とする請求項８に記載のマルチメディア端末装置。
【請求項１２】
前記複数の入力端子のそれぞれから入力される入力デジタル信号のそれぞれを処理するための複数のプログラムを、それぞれ保持するようにした複数の保持手段を設け、前記マルチメディア端末装置と着脱可能にすることを特徴とする請求項８に記載のマルチメディア端末装置。
【請求項１３】
入力デジタル信号に対する処理内容に応じて実行するプログラムの変更が可能なデジタル信号処理工程と、
処理デコード方法が異なる各種のデジタル信号のうち、対象とするデジタル信号を処理するためのプログラムを前記デジタル信号処理工程に供給する制御工程と
を備えることを特徴とするデジタル信号処理方法。
【請求項１４】
処理デコード方法が異なる各種のデジタル信号の入力を受け付ける信号受付工程を有し、
前記制御工程においては、前記信号受付工程において受け付けられる前記デジタル信号を処理するためのプログラムを保持する保持部から、前記プログラムを取得して、これを前記デジタル信号処理工程に供給することを特徴とする請求項１３に記載のデジタル信号処理方法。
【請求項１５】
処理デコード方法が異なる各種のデジタル信号の入力を受け付ける信号受付工程と、
前記信号受付工程により受け付けられるデジタル信号の種類を認識する認識工程と
を備え、
前記制御工程は、前記信号受付工程において受け付けられる処理デコード方法が異なる前記デジタル信号のそれぞれを処理するための複数のプログラムを保持する保持部から、前記認識工程においての認識結果に基づいて、前記信号受付工程において受け付けられたデジタル信号を処理するためのプログラムを抽出し、抽出した当該プログラムを前記デジタル信号処理工程に供給することを特徴とする請求項１３に記載のデジタル信号処理方法。
【請求項１６】
処理デコード方法が異なる複数のデジタル信号の入力を受け付ける信号受付工程と、
前記信号受付工程において受け付けられる複数の入力デジタル信号の供給を受けて、前記デジタル信号処理工程に供給するデジタル信号を選択する信号選択工程と
を備え、
前記制御工程においては、予め認識されている前記信号受付工程において受け付けられる前記複数の入力ジタル信号の種類に基づいて、ユーザの選択指示に応じた入力デジタル信号を選択するように前記信号選択工程においての選択処理を制御するとともに、前記選択指示に応じた入力デジタル信号を処理するためのプログラムを前記信号受付工程において受け付けられる前記複数の入力デジタル信号のそれぞれを処理するための複数のプログラムを保持する保持部から抽出し、前記デジタル信号処理工程に供給することを特徴とする請求項１３に記載のデジタル信号処理方法。
【手続補正２】
【補正対象書類名】明細書
【補正対象項目名】００１１
【補正方法】変更
【補正の内容】
【００１１】
【課題を解決するための手段】
上記課題を解決するため、第１の発明のマルチメディア端末装置は、
入力デジタル信号に対する処理内容に応じてプログラムの変更が可能なデジタル信号処理回路と、
処理デコード方法が異なる各種のデジタル信号のうち、対象とするデジタル信号を処理するためのプログラムを前記デジタル信号処理回路に供給する制御手段と
を備えることを特徴とする。
【手続補正３】
【補正対象書類名】明細書
【補正対象項目名】００１２
【補正方法】変更
【補正の内容】
【００１２】
この第１の発明のマルチメディア端末装置によれば、デジタル信号処理回路は、例えば、地上波が用いられて放送されるデジタル放送や、デジタル衛星放送、デジタルケーブルテレビ放送などにより提供される各種のデジタル放送信号の供給を受けて、そのそれぞれを処理することができるものである。このデジタル信号処理回路には、当該デジタル信号処理回路に入力されるデジタル信号を処理するためのプログラムが制御手段により供給される。
【手続補正４】
【補正対象書類名】明細書
【補正対象項目名】００１４
【補正方法】変更
【補正の内容】
【００１４】
また、第２の発明のマルチメディア端末装置は、上記第１の発明のマルチメディア端末装置であって、
処理デコード方法が異なる各種のデジタル信号の入力を受け付ける１つの入力端子と、
前記入力端子から入力される前記デジタル信号を処理するためのプログラムを保持する保持手段と
を備え、
前記制御手段は、前記保持手段に保持されている前記プログラムを前記デジタル信号処理回路に転送することを特徴とする。
【手続補正５】
【補正対象書類名】明細書
【補正対象項目名】００１５
【補正方法】変更
【補正の内容】
【００１５】
この第２の発明のマルチメディア端末装置によれば、入力端子を通じて入力されたデジタル信号がデジタル信号処理回路に供給され、このデジタル信号を処理するためのプログラムが、制御手段により保持手段から取得され、デジタル信号処理回路に転送される。
【手続補正６】
【補正対象書類名】明細書
【補正対象項目名】００１７
【補正方法】変更
【補正の内容】
【００１７】
また、第３の発明のマルチメディア端末装置は、上記第１の発明のマルチメディア端末装置であって、
処理デコード方法が異なる各種のデジタル信号の入力を受け付ける１つの入力端子と、
前記入力端子を通じて入力されるデジタル信号の種類を認識する認識手段と、
前記入力端子から入力される処理デコード方法が異なる前記デジタル信号のそれぞれを処理するための複数のプログラムを保持する保持手段と
を備え、
前記制御手段は、前記認識手段により認識される前記入力端子を通じて入力されるデジタル信号を処理するためのプログラムを前記保持手段から抽出して、前記デジタル信号処理回路に転送することを特徴とする。
【手続補正７】
【補正対象書類名】明細書
【補正対象項目名】００１８
【補正方法】変更
【補正の内容】
【００１８】
この第３の発明のマルチメディア端末装置によれば、１つの入力端子を通じて、処理デコード方法の異なる各種のデジタル信号の入力ができるようにされる。この入力端子から入力されるデジタル信号の種類は、認識手段により認識される。
【手続補正８】
【補正対象書類名】明細書
【補正対象項目名】００２１
【補正方法】変更
【補正の内容】
【００２１】
また、第４の発明のマルチメディア端末装置は、上記第１の発明のマルチメディア端末装置であって、
処理デコード方法が異なる各種のデジタル信号の入力を受け付ける複数の入力端子と、
前記複数の入力端子のそれぞれから入力される入力デジタル信号の種類を認識している認識手段と、
前記複数の入力端子からの入力デジタル信号の供給を受けて、前記デジタル信号処理回路に供給するデジタル信号を選択する信号選択手段と、
前記複数の入力端子のそれぞれから入力される入力デジタル信号のそれぞれを処理するための複数のプログラムを保持するプログラム保持手段と
を備え、
前記制御手段は、前記認識手段において認識されている前記複数の入力端子のそれぞれから入力されるデジタル信号の種類に基づいて、ユーザの選択指示に応じた入力デジタル信号を選択するように前記信号選択手段を制御するとともに、前記選択指示に応じた入力デジタル信号を処理するためのプログラムを前記プログラム保持手段から、前記デジタル信号処理回路に供給するようにすることを特徴とする。
【手続補正９】
【補正対象書類名】明細書
【補正対象項目名】００２２
【補正方法】変更
【補正の内容】
【００２２】
この第４の発明のマルチメディア端末装置によれば、処理デコード方法が異なる各種のデジタル信号の入力を受け付ける複数の入力端子が設けられ、この複数の入力端子から入力されてデジタル信号は、信号選択手段に供給される。この場合、複数の入力端子から入力される処理デコード方法が異なるデジタル信号の種類は、認識手段により予め認識される。
【手続補正１０】
【補正対象書類名】明細書
【補正対象項目名】００８５
【補正方法】変更
【補正の内容】
【００８５】
例えば、外部メモリインターフェース６５に接続される外部メモリに、デジタル信号処理回路３０において実行されるプログラムを記憶させておき、この外部メモリから目的のデジタル信号を処理するためのプログラムを読み出して、デジタル信号処理回路３０に供給するようにすることもできる。
【手続補正１１】
【補正対象書類名】明細書
【補正対象項目名】００８６
【補正方法】変更
【補正の内容】
【００８６】
この場合には、例えば、新たなフォーマットのデジタル放送信号が提供されるようになったときにもこれに対応することができる。この場合には、例えば、デジタル外部器機との入出力端子５など、予め決められた端子を通じてデジタル信号の供給を受け、そのデジタル信号のフォマットに応じたプログラムを選択し、選択したプログラムを外部メモリから読み出して、デジタル信号処理回路３０に供給することができるようにしておけばよい。これは、制御部５０において実行されるプログラムを追加あるいは修整することで対応することができる。
【手続補正１２】
【補正対象書類名】明細書
【補正対象項目名】００８８
【補正方法】変更
【補正の内容】
【００８８】
［変形例］
前述した実施の形態のマルチメディア端末装置の場合には、アナログテレビ放送によるアナログ放送信号と、３つの異なるデジタル放送のデジタル放送信号と、デジタル外部器機からのデジタル信号との入力を同時に受けても、ユーザの選択指示に応じた信号を選択し、その選択した信号を処理して出力することができるものである。
【手続補正１３】
【補正対象書類名】明細書
【補正対象項目名】００９６
【補正方法】変更
【補正の内容】
【００９６】
【発明の効果】
以上説明したように、第１の発明のマルチメディア端末装置によれば、デジタル信号処理回路に入力されるデジタル信号を、デジタル信号処理回路に供給されるプログラムに応じて適正に処理することができる。
【手続補正１４】
【補正対象書類名】明細書
【補正対象項目名】００９７
【補正方法】変更
【補正の内容】
【００９７】
また、第２の発明のマルチメディア端末装置によれば、入力端子を通じて入力されるデジタル信号をデジタル信号処理回路により、保持手段に保持されているプログラムに基づいて適正に処理することができる。
【手続補正１５】
【補正対象書類名】明細書
【補正対象項目名】００９８
【補正方法】変更
【補正の内容】
【００９８】
また、第３の発明のマルチメディア端末装置によれば、処理デコード方法の異なる各種のデジタル信号を処理することができる。
【手続補正１６】
【補正対象書類名】明細書
【補正対象項目名】００９９
【補正方法】変更
【補正の内容】
【００９９】
また、第４の発明のマルチメディア端末装置によれば、処理デコード方法の異なる複数のデジタル放送信号の供給を受けて、目的とするデジタル放送信号を選択して処理することができる。